(57)【要約】【課題】スピーカ装置の組み立てラインの削減を図ったスピーカ装置を提供する。【解決手段】ボイスコイル２２及び駆動用磁気回路２１によって、振動板２６や、センターキャップ２７といった振動系を振動させる。ＬＥＤ２８を発光起電力を発生させる誘導コイル３１に、磁界を与える発光用磁気回路３２を駆動用磁気回路２１とは独立して設ける。さらに、センターキャップ２７に、ＬＥＤ２８、誘導コイル３１及び発光用磁気回路３２を集約して設ける。【選択図】図２
2005252915.tif 000002
【特許請求の範囲】
【請求項１】
振動して音を発生する振動系と、
ボイスコイル及び該ボイスコイルに磁界を与える駆動用磁気回路を有し、前記振動系を駆動する駆動手段と、
所定箇所に設けられた発光素子と、
誘導コイル及び前記駆動用磁気回路とは独立して設けられ、前記誘導コイルに磁界を与える発光用磁気回路を有し、前記振動系の振動によって前記誘導コイルに発生する起電力により前記発光素子を発光させる起電力発生手段とを備えたことを特徴とするスピーカ装置。
【請求項２】
請求項１記載のスピーカ装置であって、
前記誘導コイル及び前記発光用磁気回路は、前記振動系に取り付けられていることを特徴とするスピーカ装置。
【請求項３】
請求項２記載のスピーカ装置であって、
前記誘導コイル及び前記発光用磁気回路は、前記振動系のセンターキャップに取り付けられていることを特徴とするスピーカ装置。
【請求項４】
請求項２又は３記載のスピーカ装置であって、
前記起電力発生手段は、前記誘導コイル及び前記発光用磁気回路の何れか一方が前記振動系に固定され、前記誘導コイル及び前記発光用磁気回路の他方−前記振動系間を、相対位置の変位可能に連結する連結手段を有することを特徴とするスピーカ装置。
【請求項５】
請求項１〜４何れか１項記載のスピーカ装置であって、
前記発光素子は、前記誘導コイルが取り付けられている部材に取り付けられていることを特徴とするスピーカ装置。
【請求項６】
請求項１〜５何れか１項記載のスピーカ装置であって、
前記発光素子は、前記振動系のセンターキャップに取り付けられていることを特徴とするスピーカ装置。
【発明の詳細な説明】
【技術分野】
【０００１】
本発明は、スピーカ装置に関するものである。
【背景技術】
【０００２】
従来、スピーカ装置への入力をモニターするなどの目的で、視認可能な位置に発光素子を取り付けると共に、この発光素子に、ボイスコイルへの入力電流の一部を流して、発光させたものが提案されている。以上の構成のスピーカ装置において、発光素子の電力は、ボイスコイルの駆動電流の一部を利用しているため、発光素子をボイスコイルの給電回路へ接続する配線が必要となる。
【０００３】
これに対して、図１に示すようなスピーカが考えられている。図１は、従来のスピーカの一例を示す半断面図である。同図に示すように、円柱状のセンターポール１０ａ、マグネット１０ｂ、ヨーク１０ｃによって、リング状の磁気ギャップ１０ｄを有する磁気回路１０が構成されている。上述した磁気ギャップ１０ｄ内には、ボイスコイル１１が挿入されている。このボイスコイル１１は、ダンパ１２によって上下振動可能に支持されたコイルボビン１３に巻回されている。
【０００４】
このコイルボビン１３の外周には、上面視リング状の振動板１４の内周が接着されている。振動板１４の外周は、フレームに固定されている。また、振動板１４の上方には、振動板１４の中心穴を覆うセンターキャップ１５がかぶせてある。このセンターキャップ１５には、発光素子１６を搭載した基板と一体に形成されたコイルボビン１７が取り付けられ、このコイルボビン１７に誘導コイル１８が巻回されている。この誘導コイル１８は、ボイスコイル１１と同様に、磁気ギャップ１０ｄ内に配置される。
【０００５】
以上の構成によれば、ボイスコイル１１に供給される入力電流が変位すると、コイルボビン１７が上下振動し、これに応じて振動板１４や、センターキャップ１５が振動して、音が発生する。また、センターキャップ１５の振動により、誘導コイル１８が磁気ギャップ１０ｄ内で振動し、これにより誘導コイル１８に誘導起電力が発生する。この誘導起電力を発光素子１６の発光電力とすれば、発光素子１６とボイスコイル１１の給電回路との接続を行わなくても、発光素子１６の電力を得ることができる。
【０００６】
しかしながら、図１に示すスピーカは、本来、ボイスコイル１１のみを挿入する磁気ギャップ１０ｄに、誘導コイル１８を挿入している。このため、磁気ギャップ１０ｄを大きく形成する必要があり、ボイスコイル１１や、誘導コイル１８に大きな磁界を与えることができなくなる。このため、ボイスコイル１１に供給する入力電流に対する振動板１４や、センターキャップ１５の振動が小さくなり、十分な出力を得ることができなくなってしまう。また、誘導コイル１８に高い起電力を誘導することもできない。しかも、スピーカをライン上で組み立てる際に、１つの磁気ギャップ１０ｄに、ボイスコイル１１及び誘導コイル１８の２つのコイルを挿入しなければならず、組立作業が煩雑になるという問題もあった。
【０００７】
そこで、例えば、誘導コイル１８を磁気ギャップ１０ｄの磁界が与えられる範囲で、磁気ギャップ１０ｄ外に配置するものも提案されている（例えば、特許文献１）。しかしながら、このような構成の場合、図１に示すスピーカよりもさらに、誘導コイル１８に高い起電力を発生させることが難しくなってしまう。
【０００８】
また、例えば、ボイスコイル１１を変圧器の一次コイルとしたときに、二次コイルとして作用するように誘導コイル１８を設け、ボイスコイル１１の入力電流の変位に起因して誘導コイル１８１に発生する誘導起電力を発光素子の発光電力とするスピーカが提案されている（例えば、特許文献２）。しかしながら、以上の構成のスピーカでは、誘導コイル１８に高い起電力を発生させるため、ボイスコイル１１に高い入力電流を流す必要がある。このため、高い起電力を得るのに限界がある。
【０００９】
つまり、上述した従来技術の場合、１つの磁気回路に対して、ボイスコイル及び誘導コイルの２つのコイルを設けているため、ボイスコイル及び誘導コイルの各々に高い磁界を与えることができず、しかも、スピーカの組立ラインも煩雑になってしまうという問題が生じる。
【特許文献１】特開２００３−２３６９３公報
【特許文献２】特開２０００−２６１８７４公報
【発明の開示】
【発明が解決しようとする課題】
【００１０】
本発明が解決しようとする課題には、上記した問題が一例として上げられる。
【課題を解決するための手段】
【００１１】
上記課題を解決するためになされた請求項１記載の発明は、振動して音を発生する振動系と、ボイスコイル及び該ボイスコイルに磁界を与える駆動用磁気回路を有し、前記振動系を駆動する駆動手段と、所定箇所に設けられた発光素子と、誘導コイル及び前記駆動用磁気回路とは独立して設けられ、前記誘導コイルに磁界を与える発光用磁気回路を有し、前記振動系の振動によって前記誘導コイルに発生する起電力により前記発光素子を発光させる起電力発生手段とを備えたことを特徴とする。
【発明を実施するための最良の形態】
【００１２】
実施の形態
第１に、本発明のスピーカ装置は、振動して音を発生する振動系と、ボイスコイル及び該ボイスコイルに磁界を与える駆動用磁気回路を有し、前記振動系を駆動する駆動手段と、所定箇所に設けられた発光素子と、誘導コイル及び前記駆動用磁気回路とは独立して設けられ、前記誘導コイルに磁界を与える発光用磁気回路を有し、前記振動系の振動によって前記誘導コイルに発生する起電力により前記発光素子を発光させる起電力発生手段とを備えている。
【００１３】
上述したスピーカ装置によれば、発光素子を発光させるための起電力を発生する誘導コイルに対して、駆動用磁気回路とは独立して設けた発光用磁気回路を設けることにより、１つの磁気回路によって、ボイスコイル及び誘導コイルの両コイルに磁界を与える必要がなく、各ボイスコイル及び誘導コイルにそれぞれ高い磁界を与えることができる。しかも、１つの磁気ギャップ中に２つのコイルを挿入する必要もなくなり、スピーカの組立も容易になる。
【００１４】
また、第２に、上述した第１のスピーカ装置において、誘導コイル及び発光用磁気回路が、振動系に取り付けられている。従って、誘導コイル及び発光用磁気回路付きの振動系を用いて、スピーカ装置をラインで組み立てれば、この組み付てラインで誘導コイル及び発光用磁気回路の組み付けを行う必要がなく、組み付け工数を少なくすることができる。
【００１５】
また、第３に、上述した第２のスピーカ装置において、誘導コイル及び発光用磁気回路が、振動系のセンターキャップに取り付けられている。従って、誘導コイル及び発光用磁気回路付きのセンターキャップを用いて、スピーカ装置をラインで組み立てれば、この組立ラインで誘導コイル及び発光用磁気回路を取り付ける必要がなく、組み付け工数を少なくすることができる。
【００１６】
また、第４に、上述した第２又は第３のスピーカ装置において、前記起電力発生手段は、前記誘導コイル及び前記発光用磁気回路の何れか一方が前記振動系に固定され、前記誘導コイル及び前記発光用磁気回路の他方−前記振動系間を、相対位置の変位可能に連結する連結手段を有する。
【００１７】
以上の構成によれば、振動系が振動すると、該振動系に固定された誘導コイル及び発光用磁気回路の何れか一方が振動系と同様に振動する。また、振動系の振動は連結手段を通じて、他方につたわり、振動系の振動に遅れて他方が振動する。これにより、誘導コイル及び発光用磁気回路間の相対位置が変位し、誘導コイルに起電力が発生する。従って、振動系の振動によって、誘導コイルに起電力が発生できるように、誘導コイル及び発光用磁気回路の両者を振動系に取り付けることができる。
【００１８】
また、第５に、上述した第１〜第４のスピーカ装置において、発光素子が、誘導コイルの取り付けられている部材に取り付けられる。従って、発光素子及び誘導コイルが取り付けられている部材を用いて、スピーカ装置のラインを組み立てれば、この組み立てラインで誘導コイルと発光素子の配線を行う必要がなく、組み付け工数を少なくすることができる。
【００１９】
さらに、第６に、上述した第１〜第５のスピーカ装置において、発光素子は、振動系のセンターキャップに取り付けられている。従って、発光素子の視認性の向上を図ることができる。
【００２０】
実施例
図２は、本発明のスピーカ装置の一実施例を示す半断面図である。同図に示すように、スピーカ装置は、円柱状のセンターポール２１ａ、ヨーク２１ｂ、ヨーク２１ｂ側に設けられたマグネット２１ｃによって、リング状の磁気ギャップ２１ｄを有する外磁型の駆動用磁気回路２１が構成されている。上述した磁気ギャップ２１ｄ内には、ボイスコイル２２が挿入されている。上述した駆動用磁気回路２１及びボイスコイル２２が駆動手段としての駆動部２０を構成している。このボイスコイル２２は、円筒状のコイルボビン２３の外周に巻回されている。コイルボビン２３は、ダンパ２４を介してフレーム２５と連結されており、このダンパ２４によって上下振動可能に支持されている。
【００２１】
また、上述したコイルボビン２３の外周には、正面視リング状の振動板２６の内周が接着されている。この振動板２６の外周は、フレーム２５に固定されている。また、振動板２６の正面側には、振動板２６の中心穴を覆うドーム型のセンターキャップ２７が設けられている。このセンターキャップ２７の背面側には、発光素子としてのＬＥＤ２８を搭載した基板２９と、ＬＥＤ２８を発光させるための起電力を発生する起電力発生手段としての起電力発生部３０とが取り付けられている。
【００２２】
上述した起電力発生部３０は、誘導起電力を発生する誘導コイル３１と、誘導コイル３１に磁界を与える発光用磁気回路３２とから構成されている。この発光用磁気回路３２は、上下に配置されたマグネット３２ａ、３２ｂと、このマグネット３２ａ、３２ｂに挟まれたセンタープレート３２ｃとから構成された反発型の磁気回路である。また、誘導コイル３１は、誘導コイル３１が巻回されたコイルボビン３３を介してセンターキャップ２７に固定されている。これに対して、発光用磁気回路３２は、コイルボビン３３及び連結手段としてのダンパ３４を介してセンターキャップ２７と連結されている。このダンパ３４により、発光用磁気回路３２とセンターキャップ２７との相対位置が変位可能に連結される。
【００２３】
以上のスピーカ装置によれば、ボイスコイル２２に供給される入力電流が変位すると、コイルボビン２３が上下振動し、これに応じて振動板２６や、センターキャップ２７が振動して音が発生する。また、センターキャップ２７の振動により、センターキャップ２７に固定された誘導コイル３１が、センターキャップ２７と同じ様に振動する。これに対して、ダンパ３４を介してセンターキャップ２７に取り付けられた発光用磁気回路３２は、センターキャップ２７の振動に遅れて振動する。
【００２４】
このため、誘導コイル３１と発光用磁気回路３２との相対位置が変位し、誘導コイル３３内の磁束が変動して、誘導コイル３３に起電力が発生する。この起電力によりＬＥＤ２８が発光する。なお、ＬＥＤ２８の正面側のセンターキャップ２７は、開口されているか、透明部材で形成されており、正面からＬＥＤ２８が視認できるようになっている。
【００２５】
本実施例のスピーカ装置によれば、ＬＥＤ２８を発光させるための起電力を発生する誘導コイル３１に対して、駆動用磁気回路２１とは独立して発光用磁気回路３２を設けることにより、１つの磁気回路によって、ボイスコイル２２及び誘導コイル３１の両コイルに磁界を与える必要がなく、各ボイスコイル２２及び誘導コイル３１にそれぞれ高い磁界を与えることができる。しかも、１つの磁気ギャップ中に２つのコイルを挿入する必要もなくなり、スピーカの組立も容易になる。
【００２６】
また、本実施例のスピーカ装置によれば、センターキャップ２７に、ＬＥＤ２８、誘導コイル３１及び発光用磁気回路３２が取り付けられている。以上の構成によれば、誘導コイル３１を発光用磁気回路３２の磁束ループ中に配置した状態で、誘導コイル３１及び発光用磁気回路３２を取り付けたセンターキャップ２７を用いて、スピーカ装置をラインで組み立てることができる。これにより、この組み立てライン上で誘導コイル３１に対する発光用磁気回路３２の組み付けを行う必要がない。さらに、誘導コイル３１とＬＥＤ２８との配線を行った状態で、誘導コイル３１及びＬＥＤ２８を取り付けたセンターキャップ２７を用いて、スピーカ装置のライン組み付けを行うことができ、このライン上で誘導コイル３１及びＬＥＤ２８の配線を行う必要もなく、組み付け工数を少なくすることができる。
【００２７】
また、本実施例のスピーカ装置によれば、誘導コイル３１をセンターキャップ２７に固定すると共に、発光用磁気回路３２をダンパ３４を介してセンターキャップ２７に取り付けることにより、センターキャップ２７の振動によって、誘導コイル３１に起電力が発生できるように、誘導コイル３１及び発光用磁気回路３２の両者を取り付けることができる。さらに、ＬＥＤ２８をセンターキャップ２７に設けることにより、ＬＥＤ２８の視認性の向上を図ることができる。
【００２８】
なお、上述した実施例では、発光用磁気回路３２として、反発型の磁気回路を用いていたが、図３に示すように、センターポール３２ｄ、ヨーク３２ｅ、ヨーク３２ｅ側に配置されたマグネット３２ｆから構成された外磁型の磁気回路を用いたり、図４に示すように、センターポール３２ｅ、ヨーク３２ｄ、センターポール３２ｅ側に配置されたマグネット３２ｆから構成された内磁型の磁気回路を用いることも考えられる。それぞれ、誘導コイル３１は、磁気ギャップ３２ｇ内に配置されるように、センターキャップ２７に固定されている。また、発光用磁気回路３２は、センターキャップ２７に固定された円筒状の固定部３５とダンパ３４とを介して、センターキャップ２７に連結されている。
【００２９】
また、上述した実施例では、誘導コイル３１及び発光用磁気回路３２の両者をセンターキャップ２７に取り付けていた。しかしながら、例えば、誘導コイル３１と発光用磁気回路３２とをそれぞれ別の場所に取り付けて、スピーカ装置の組み付けライン上で、誘導コイル３１と発光用磁気回路３２とを組み付けても、発光用磁気回路３１を駆動用磁気回路２１とは独立に設ければ、上述した実施例と同様に、ボイスコイル２２及び誘導コイル３１にそれぞれ高い磁界を与えることができ、しかも、スピーカの組立も容易になるという効果を得ることができる。
【００３０】
また、上述した実施例では、誘導コイル３１及び発光用磁気回路３２の両者をセンターキャップ２７に取り付けていた。しかしながら、取り付ける場所は、センターキャップ２７に限定せず、駆動部２０により振動する振動系であればどこでもよく、例えば、振動板２６に設けることも考えられる。
【００３１】
また、上述した実施例では、誘導コイル３１が振動系であるセンターキャップ２７に固定され、発光用磁気回路３２がダンパ３４を介してセンターキャップ２７に取り付けられていたが、逆に、発光用磁気回路３２を振動系であるセンターキャップ２７に固定し、誘導コイル３１を、ダンパ３４を介してセンターキャップ２７に取り付けてもよい。
【００３２】
また、上述した実施例では、誘導コイル３１及びＬＥＤ２８の両者をセンターキャップ２７に取り付けていたが、例えば、誘導コイル３１及びＬＥＤ２８を別々の場所に取り付けて、スピーカ装置の組み付けの際に、誘導コイル３１とＬＥＤ２８の配線を行うことも考えられる。
【００３３】
また、上述した実施例では、センターキャップ２７として、ドーム型のものを用いていたが、センターキャップ２７の形状はこれに限定されるものではない。
【００３４】
また、ＬＥＤ２８の取付場所としては、センターキャップ２７の背面側に限らず、センターキャップ２７表面、振動板２６上、センターポール２１ａ上、ガスケット上など振動系や磁気回路やその他の箇所に取り付けることが考えられる。
【図面の簡単な説明】
【００３５】
【図１】従来のスピーカ装置の一例を示す半断面図である。
【図２】本発明のスピーカ装置の一実施例を示す半断面図である。
【図３】本発明のスピーカ装置の一実施例を示す半断面図である。
【図４】本発明のスピーカ装置の一実施例を示す半断面図である。
【符号の説明】
【００３６】
２０  駆動部（駆動手段）
２２  ボイスコイル
２１  駆動用磁気回路
２６  振動板（振動系）
２７  センターキャップ（振動系）
２８  ＬＥＤ（発光素子）
３０  起電力発生部（起電力発生手段）
３１  誘導コイル
３２  発光用磁気回路
３４  ダンパ（連結手段）
【図１】
2005252915.tif 000003
【図２】
2005252915.tif 000004
【図３】
2005252915.tif 000005
【図４】
2005252915.tif 000006